(57)【特許請求の範囲】
【請求項１】
長手方向を歩行方向に沿わせるように配設される手摺の長手方向に沿って間隔を空けて配設され、該手摺を壁面に沿わせるように取り付ける手摺ブラケットであって、
前記壁面に固定される壁固定部と、上面側に前記手摺が当接される固定面を有し、該手摺が固定される手摺固定部と、該手摺固定部の下方側に設けられ、かつ歩行面に対して略鉛直方向に垂れ下がるように設けられた握部と、を備えており、
前記握部は、前記壁固定部及び前記手摺固定部を有したブラケット本体に対して一体的に設けられ、かつ、軸方向を上下方向に沿わせて配される直径が２０ｍｍ〜５０ｍｍの棒状とされていることを特徴とする手摺ブラケット。
【請求項２】
請求項１において、
前記握部は、前記手摺固定部に固定される前記手摺の軸心の略直下に位置するように設けられていることを特徴とする手摺ブラケット。
【発明の詳細な説明】
【技術分野】
【０００１】
本発明は、手摺を壁面に沿わせるように取り付ける手摺ブラケットに関する。
【背景技術】
【０００２】
従来より、階段や廊下等の壁面に、長手方向を歩行方向に沿わせるように固定される手摺が知られている。
このような手摺は、一般的に、成人の腰高さ付近（階段の踏面（または段鼻上面）や床面等から７００ｍｍ〜９００ｍｍ程度の高さ）に配設される。手摺をこのような高さ位置に設けることで、起立歩行時には握り易い高さ位置となるが、例えば、階段や廊下等に座った状態においては、握り難いということが考えられる。
例えば、下記特許文献１では、階段に沿う壁面に、一定間隔置きに取り付けられ、略縦方向に向く縦手摺りと、これら縦手摺りを横断するようにして階段の傾斜方向に沿って延びる横手摺りとを備えた手摺りが提案されている。この手摺りは、横手摺りを挟んで縦手摺りの下部側が登り用縦手摺り部とされ、横手摺りを挟んで縦手摺りの上部側が下り用縦手摺り部とされている。また、この縦手摺りの上下端部が壁面に固定され、横手摺りがブラケットを介して縦手摺りに対して固定される構成とされている。この手摺りによれば、階段を昇降する際に縦手摺りを掴み易く、しっかりと握ることができる、と説明されている。
【先行技術文献】
【特許文献】
【０００３】
【特許文献１】特開２００４−９２２４５号公報
【発明の概要】
【発明が解決しようとする課題】
【０００４】
しかしながら、上記特許文献１に記載された手摺りは、縦手摺りの上下端部が壁面に固定され、横手摺りがブラケットを介して縦手摺りに対して固定される構成とされている。そのため、構造が複雑となり、また、壁面側に上下の二箇所に下地等が必要となることも考えられ、更なる改善が望まれる。
【０００５】
本発明は、上記実情に鑑みてなされたものであり、簡易な構造でありながらも、階段や廊下等で座位状態から立ち上がる際等における握り易さを向上し得る手摺ブラケットを提供することを目的としている。
【課題を解決するための手段】
【０００６】
上記目的を達成するために、本発明に係る手摺ブラケットは、長手方向を歩行方向に沿わせるように配設される手摺の長手方向に沿って間隔を空けて配設され、該手摺を壁面に沿わせるように取り付ける手摺ブラケットであって、前記壁面に固定される壁固定部と、上面側に前記手摺が当接される固定面を有し、該手摺が固定される手摺固定部と、該手摺固定部の下方側に設けられ、かつ歩行面に対して略鉛直方向に垂れ下がるように設けられた握部と、を備えており、前記握部は、前記壁固定部及び前記手摺固定部を有したブラケット本体に対して一体的に設けられ、かつ、軸方向を上下方向に沿わせて配される直径が２０ｍｍ〜５０ｍｍの棒状とされていることを特徴とする。
【０００７】
本発明においては、前記握部を、前記手摺固定部に固定される前記手摺の軸心の略直下に位置するように設けるようにしてもよい。
【発明の効果】
【０００８】
本発明に係る手摺ブラケットは、上述のような構成としたことで、簡易な構造でありながらも、階段や廊下等で座位状態から立ち上がる際等における握り易さを向上させることができる。
【図面の簡単な説明】
【０００９】
【図１】（ａ）、（ｂ）は、いずれも本発明の一実施形態に係る手摺ブラケットの一例を模式的に示し、（ａ）は、図３におけるＸ−Ｘ線矢視に対応させた概略縦断面図、（ｂ）は、同手摺ブラケットの概略斜視図である。
【図２】（ａ）は、同手摺ブラケットの概略分解斜視図、（ｂ）は、同手摺ブラケットの一部省略概略斜視図である。
【図３】同手摺ブラケットを用いた手摺取付構造の一例を模式的に示す一部破断概略側面図である。
【発明を実施するための形態】
【００１０】
以下に本発明の実施の形態について、図面に基づいて説明する。
図１〜図３は、本実施形態に係る手摺ブラケットの一例を模式的に示す図である。
なお、以下の実施形態では、手摺ブラケットを壁面に取り付けた状態を基準として、上下方向等の方向を原則的に説明する。
【００１１】
本実施形態に係る手摺ブラケット１は、図１（ａ）及び図３に示すように、住居等の建物の壁面２に沿わせるように手摺３を取り付ける構成とされている。この手摺ブラケット１は、長手方向を歩行方向に沿わせるように配設される手摺３の長手方向に沿って間隔を空けて配設される。
本実施形態では、手摺３を、長手方向を略水平方向に沿わせて複数の手摺ブラケット１，１によって壁面２に沿わせるように取り付けた例を示している。このような壁面２としては、階段の踊場や廊下等の歩行面としての床面及び歩行方向が略水平とされた壁面２としてもよい。
【００１２】
手摺３は、長尺棒状とされており、図例では、縦断面形状が略真円形状とされた丸棒状の手摺３を例示している。この手摺３の直径は、握り易さ等の観点から、例えば、２０ｍｍ〜５０ｍｍ程度としてもよく、好ましくは、３０ｍｍ〜４０ｍｍ程度としてもよい。
なお、手摺３としては、木質系材料を棒状に加工した基材に、適宜、合成樹脂シートや突板等の表面化粧シートを貼着した構成としてもよい。また、基材としては、木質系材料に限られず、木粉・プラスチック複合材（ＷＰＣ）や、合成樹脂系材料、金属系材料等から形成されたものとしてもよい。または、手摺３自体を、アルミニウムやステンレス等の金属系材料から形成されたものとしてもよい。また、図例のように、中実棒状とされた手摺３に限られず、中空棒状とされた手摺３としてもよい。
【００１３】
手摺ブラケット１は、壁面２に固定される壁固定部１１と、手摺３が固定される手摺固定部１３と、を備えている。本実施形態では、これら壁固定部１１及び手摺固定部１３を、手摺ブラケット１のブラケット本体１０に設けている。
ブラケット本体１０は、壁固定部１１と、この壁固定部１１から反壁面側に連なるように設けられ、かつ壁固定部１１よりも上方側に設けられた手摺固定部１３と、を備えている。図例では、ブラケット本体１０を、正面視して（手摺３の長手方向に見て）略Ｌ字状とし、その略Ｌ字状の各辺部の各側端部に、これら壁固定部１１及び手摺固定部１３を設けたような形状としている。また、図例では、ブラケット本体１０の手摺３の長手方向に沿う前面及び後面を略平坦面とした例を示している。
【００１４】
壁固定部１１は、壁面２に当接される固定面を有しており、図例では、該固定面を対面視して（壁面２側から反壁面側に見て）、略矩形状とした例を示している（図３参照）。
手摺固定部１３は、手摺３が当接される固定面を有しており、図例では、該固定面をブラケット本体１０の上面側に設け、平面視して略矩形状とした例を示している（図２参照）。また、この手摺固定部１３の固定面は、手摺３の下面側部位の形状に対応させた形状とされており、本実施形態では、上向きの凹湾曲面形状とされている。
【００１５】
また、この手摺固定部１３は、当該手摺ブラケット１によって壁面２に沿わせるように取り付けられた手摺３が握り易く、また、邪魔になり難い位置となるように手摺ブラケット１に設けられている。例えば、手摺３を壁面２から大きく突出させることなく手摺３を握った際に壁面２に手指が当り難くなるように、壁面２と手摺３との間に手指等が挿入し易い所定の間隙が形成されるように手摺固定部１３を手摺ブラケット１に設けるようにしてもよい。壁面２と手摺３との間の所定の間隙としては、上記したような種々の観点から、例えば、２０ｍｍ〜５０ｍｍ程度としてもよく、好ましくは、３０ｍｍ〜４０ｍｍ程度としてもよい。
【００１６】
また、ブラケット本体１０は、図１（ｂ）及び図２に示すように、壁固定部１１の反壁面側に開口１５が形成されており、ブラケット本体１０の外郭形状に応じた中空部を有した中空状とされている。このようにブラケット本体１０を中空状とすることで、材料コストを低減させることができ、また、手摺ブラケット１の軽量化を図ることができる。
また、ブラケット本体１０は、上記中空部の開口１５を封止するカバー１９を備えている。このカバー１９は、図２（ａ）及び図３に示すように、開口１５の形状に対応させた形状とされており、本実施形態では、略矩形平板状とされている。このカバー１９は、開口１５に嵌め込まれるようにしてブラケット本体１０に取り付けられる。
【００１７】
このカバー１９のブラケット本体１０への取付態様としては、カバー１０の外周縁に係止爪１９ａを設け、この係止爪１９ａをブラケット本体１０の開口１５の開口縁部近傍に設けられた係止孔１８に係止させて取り付けるようにしてもよい。
図例では、カバー１９の下端縁に、複数（図例では、２つ）の係止爪１９ａ，１９ａを設け、ブラケット本体１０の開口１５の開口下端縁部近傍に、これら係止爪１９ａ，１９ａが係止される複数（図例では、２つ）の係止孔１８，１８を設けた例を示している。なお、カバー１９の上端縁側にも係止爪を設け、ブラケット本体１０の開口１５の開口上端縁部近傍にも該係止爪が係止する係止孔を設けるようにしてもよい。また、カバー１９のブラケット本体１０への取付態様としては、このような態様に限られず、接着剤等によって取り付ける態様としてもよく、その他、種々の取付態様の採用が可能である。
【００１８】
また、本実施形態では、壁固定部１１及び手摺固定部１３に、ブラケット本体１０の上記中空部の開口１５を介して操作されるねじ等の止具が挿通される止具孔１２，１３をそれぞれに設けている。図例では、これら止具孔１２，１３を、皿ざぐり状とした例を示している。
また、図例では、壁固定部１１に、複数（図例では、４つ）の止具孔１２，１２，１２，１２を設けた例を示している。これら壁固定部１１の各止具孔１２は、壁面２に対して略直交方向（法線方向）に止具の捩じ込み（または打ち込み）が可能なように設けられている。つまり、これら止具孔１２，１２，１２，１２は、カバー１９を開放させた状態で、側面視して（反壁面側から壁面２側に見て）開口１５を介して視認可能なように壁固定部１１に設けられている。
【００１９】
また、図例では、手摺固定部１３に、複数（図例では、２つ）の止具孔１３，１３を設けた例を示している。これら手摺固定部１３の各止具孔１３は、手摺３の外周面に対して略直交方向（手摺３の径方向）に止具の捩じ込み（または打ち込み）が可能なように設けられている。つまり、これら止具孔１３，１３は、カバー１９を開放させた状態で、手摺３の径方向外方側から手摺３の軸心（円心）側に見て開口１５を介してこれら止具孔１３，１３が視認可能なように手摺固定部１３に設けられている。
壁固定部１１及び手摺固定部１３をこのような態様とすることで、止具を捩じ込む（または打ち込む）際における作業性を向上させることができる。また、これら止具の操作を可能とする開口１５は、カバー１９によって封止されるので、止具が露出せず、見栄えを向上させることができる。
【００２０】
なお、当該手摺ブラケット１を壁面２に固定する壁固定部１１及び当該手摺ブラケット１に対して手摺３を固定する手摺固定部１３としては、上記したような態様に限られず、種々の態様とされた壁固定部１１及び手摺固定部１３の採用が可能である。例えば、上記のような中空部やこの中空部の開口１５を封止するカバー１９を設けずに、壁固定部１１や手摺固定部１３をフランジ状部とし、このフランジ状部に止具孔を設けた態様としてもよい。
また、手摺固定部１３としては、本実施形態のように、手摺３の下面側部位の形状に対応させて上向きの凹湾曲面形状とされたものに限られない。例えば、手摺固定部１３を、手摺３の外周形状に対応させて略リング状等としてもよい。また、手摺固定部１３を、二本の手摺を接続するように固定するものとしてもよい。つまり、当該手摺ブラケット１を、手摺の接続部材としても機能させるようにしてもよい。
【００２１】
また、本実施形態に係る手摺ブラケット１は、手摺固定部１３の下方側に設けられ、かつ歩行面に対して略鉛直方向に垂れ下がるように設けられた握部１７を備えている。
本実施形態では、正面視して（手摺３の長手方向に見て）略Ｌ字状とされたブラケット本体１０の角部に握部１７を設けた例を示している。また、ブラケット本体１０の該角部に、歩行面側に向く台座部１６を設け、この台座部１６に握部１７を設けた例を示している。この台座部１６に、上記したカバー１９の係止爪１９ａが係止される係止孔１８が設けられている。
【００２２】
また、本実施形態では、握部１７を、軸方向を上下方向に沿わせた棒状としている。図例では、上記した手摺３と略同様、横断面形状が略真円形状とされた丸棒状の握部１７を例示している（図２（ｂ）参照）。この握部１７の直径は、上記した手摺３と同様、握り易さ等の観点から、例えば、２０ｍｍ〜５０ｍｍ程度としてもよく、好ましくは、３０ｍｍ〜４０ｍｍ程度としてもよい。
また、本実施形態では、図２に示すように、この握部１７をブラケット本体１０と略同様、中空状とし、略円筒形状とした例を示している。また、図例では、この握部１７を、下端側が封止された有底の略円筒形状とし、上端側開口を、ブラケット本体１０の中空部に向けて開口するように設けた例を示している。なお、握部１７をこのような中空状とせずに、中実状としてもよい。
【００２３】
また、本実施形態では、握部１７を、ブラケット本体１０の手摺固定部１３に固定される手摺３の軸心の略直下に位置するように設けている。本実施形態では、壁面２から互いに丸棒状とされた手摺３及び握部１７の各軸心までの寸法が略同寸法となるように握部１７を設けた例を示している。この握部１７は、手摺３の幅方向（壁面２に対する法線方向と同方向）略中心を手摺３の軸心とし、その略直下に、当該握部１７の軸心となる幅方向（壁面２に対する法線方向と同方向）略中心が位置するように設けるようにしてもよい。
この握部１７の上下長さは、下端が歩行面近傍に至るようなものとしてもよいが、材料コストや邪魔になり難さ、握り易さ等の観点から、適宜、設定するようにしてもよい。例えば、握部１７の上下長さを、５０ｍｍ〜３００ｍｍ程度としてもよく、また、握部１７の下端が手摺３から１００ｍｍ〜４００ｍｍ程度下方に位置するような長さとしてもよい。
【００２４】
なお、この握部１７を手摺ブラケット１に設ける態様としては、手摺ブラケット１のブラケット本体１０に一体的に設けるようにしてもよく、それぞれに別体とされたブラケット本体１０と握部１７とを溶接等によって接合一体化することで設ける態様としてもよい。
また、手摺ブラケット１は、剛性を有した材料で製されたものとすることが好ましく、例えば、アルミニウムやステンレス、炭素鋼等の金属系材料から形成されたものとしてもよい。
【００２５】
また、手摺３の長手方向に沿って間隔を空けて配設される手摺ブラケット１の間隔（ピッチ）は、手摺３の壁面２に対する取付強度や、握部１７の握り易さ、コスト的な観点等から適宜、設定するようにしてもよい。例えば、上記間隔（ピッチ）を、３００ｍｍ〜１０００ｍｍ程度としてもよく、好ましくは、３００ｍｍ〜７００ｍｍ程度としてもよい。また、手摺３を階段の壁面に沿わせるように取り付ける場合には、階段の一段毎または複数段（例えば、二段若しくは三段）毎に手摺ブラケット１を設けるようにしてもよい。
また、手摺ブラケット１の壁面２への取付位置は、当該手摺ブラケット１に固定される手摺３が握り易い高さ位置となるような取付位置としてもよい。例えば、手摺３が成人の腰高さ付近（歩行面となる床面や階段の踏面（または段鼻上面）等から７００ｍｍ〜９００ｍｍ程度の高さ）に位置するように手摺ブラケット１を壁面２に取り付けるようにしてもよい。
【００２６】
上記構成とされた本実施形態に係る手摺ブラケット１によれば、簡易な構造でありながらも、階段や廊下等で座位状態から立ち上がる際等における握り易さを向上させることができる。
つまり、歩行面に対して略鉛直方向に垂れ下がるように設けられた握部１７を備えているので、階段や廊下等で座位状態から立ち上がる際等における握り易さを向上させることができる。また、階段の壁面２に設けた場合には、階段を上る際における握り易さを向上させることもできる。また、握部１７は、歩行面に対して略鉛直方向に垂れ下がるように設けられているので、下方側から掴み易いものとなる。
また、この握部１７は、ブラケット本体１０の手摺固定部１３の下方側に設けられているので、例えば、手摺固定部１３の壁面２側や反壁面側の側方に設けた場合と比べて、邪魔になり難く、また、握り易いものとなる。
【００２７】
また、この握部１７を、手摺３を壁面２に沿わせるように取り付ける手摺ブラケット１に設けているので、簡易な構造となる。つまり、長手方向を歩行方向に沿わせるように配設される手摺３に加えて、専用の縦手摺りを設けたり、縦手摺りの上下端部を壁面２に固定したりするものと比べて、壁面２に対する固定具が長手方向を歩行方向に沿わせるように配設される手摺３用のものとなり、簡易な構造となる。つまりは、本実施形態に係る手摺ブラケット１は、長手方向を歩行方向に沿わせるように配設される手摺３を壁面２に沿わせるように取り付ける固定具としての機能と、この手摺３よりも下方側に設けられる補助的な握部１７としての機能と、を兼ね備えている。
【００２８】
また、本実施形態では、握部１７を、ブラケット本体１０の手摺固定部１３に固定される手摺３の軸心の略直下に位置するように設けている。従って、握部１７が手摺３の軸心の略直下に位置することとなるので、握部１７がより邪魔になり難く、また、より握り易い位置となる。つまり、上記のように、壁面２から所定の間隙を隔てて握り易い位置に配設される手摺３の軸心の略直下に握部１７が位置することとなる。従って、例えば、握部１７を、手摺３の軸心よりも壁面２側に寄った位置や手摺３の軸心よりも反壁面側に寄った位置に設けた場合と比べて、握部１７が握り易く、また、邪魔になり難い位置となる。
【００２９】
なお、本実施形態では、手摺３を、丸棒状とした例を示しているが、このような態様に限られない。例えば、手摺３を、縦断面形状が略楕円形状とされたものや、略多角形状とされたものとしてもよい。この場合は、手摺ブラケット１の手摺固定部１３の形状を、手摺３の形状に応じて適宜、変形するようにすればよい。
【００３０】
また、本実施形態では、長手方向を略水平方向に沿わせて配設される手摺３を壁面２に沿わせるように取り付ける手摺ブラケット１を例示しているが、このような態様に限られない。例えば、階段の勾配に応じた傾斜方向とされた歩行方向に長手方向を沿わせるように配設される手摺３を階段の壁面２に沿わせるように取り付ける手摺ブラケット１としてもよい。この場合は、手摺ブラケット１の手摺固定部１３を手摺３の傾斜に応じた傾斜面形状としてもよい。または、手摺ブラケット１の手摺固定部１３は、上記した例と同様、手摺３の長手方向に対して略直交方向に固定されるものとし、この手摺ブラケット１のブラケット本体１０に対して握部１７を傾斜させて設けた態様としてもよい。つまり、手摺固定部１３が設けられたブラケット本体１０に対して握部１７を歩行面（例えば、階段の踏面）に対して略鉛直方向に垂れ下がるように傾斜させて設けるようにしてもよい。
【００３１】
また、本実施形態では、手摺３と略同様、握部１７も丸棒状とした例を示しているが、握部１７を、横断面形状が略楕円形状とされたものや、略多角形状とされたものとしてもよい。また、握部１７の外周面にローレット加工等を施したり、滑り止め材等を貼着したりすることで、握部１７の外周面を、滑り止め性を有した外周面としてもよい。また、握部１７は、上記のような軸方向を上下方向に沿わせた棒状とされたものに限られない。例えば、握り易く、滑り難いように、握部１７の下端部に上方側部位よりも拡径状とされた拡径部を設けるようにしてもよい。また、図例では、握部１７を、歩行面に対して直交方向に垂れ下がるように設けた例を示しているが、下方側に向けて垂れ下がるように設けられたものであればよい。例えば、握部１７を、歩行面に対して僅かに前方側や後方側等に傾斜したものとしたり、握部１７自体を湾曲形状としたりしてもよい。
また、本実施形態では、握部１７を、手摺固定部１３に固定される手摺３の軸心の略直下に位置するように設けた例を示しているが、このような態様に限られない。例えば、握部１７を、手摺３の軸心よりも壁面２側に少許寄った位置や手摺３の軸心よりも反壁面側に少許寄った位置等に設けるようにしてもよい。
【符号の説明】
【００３２】
１      手摺ブラケット
１１    壁固定部
１３    手摺固定部
１７    握部
２      壁面
３      手摺
【図１】
0005899483.tif 000002
【図２】
0005899483.tif 000003
【図３】
0005899483.tif 000004